【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】水路を開閉する電磁弁の制御を行う水栓制御装置において、間欠的に物体の有無の検出を行い物体の検出状態を感知信号として出力するセンサ部と、前記感知信号に応じて前記電磁弁の開閉制御をマイコンによって制御する電磁弁制御部とからなり、前記センサ部は前記感知信号に周期的なパルスを重畳して出力するとともに、前記マイコンは、原発振に使用されるシステムクロックの発振を停止状態とする省電力機能と、前記省電力状態の前記発振の停止状態を解除する起動信号入力を備え、前記感知信号は物体の感知と非感知を異なるパルス長又はパルス数若しくはパルス周期の前記パルスを重畳して前記起動信号入力に入力され、前記省電力機能を制御することを特徴とする水栓制御装置。
【請求項２】請求項１に記載の水栓制御装置において、前記感知信号の非感知時のパルス長は感知時のパルス長より短いことを特徴とする水栓制御装置。
【請求項３】請求項１に記載の水栓制御装置において、前記感知信号の非感知時のパルス数は感知時のパルス数より少ないことを特徴とする水栓制御装置。
【請求項４】請求項１に記載の水栓制御装置において、前記パルスの周期は感知時と非感知時で異なり、非感知時の周期は感知時の周期よりも長いことを特徴とする水栓制御装置。
【請求項５】請求項１乃至４のいずれか一項に記載の水栓制御装置において、前記電磁弁制御部は、前記感知信号のパルス長又はパルス数若しくはパルス周期に応じて前記電磁弁の通電時間を制御することを特徴とする水栓制御装置。
【請求項６】請求項１乃至５のいずれか一項に記載の水栓制御装置において、前記センサ部は電源電圧の検出手段を備え、前記電源電圧が所定値以下の場合は前記間欠的な物体の有無の検出を休止し、直前の検出時の感知状態を出力することを特徴とする水栓制御装置。
【請求項７】請求項１乃至６のいずれか一項に記載の水栓制御装置において、使用者が手動により操作した状態を操作信号として出力する手動操作部を備え、前記操作信号は前記電磁弁制御部に入力され、前記電磁弁制御部は前記感知信号または前記操作信号に応じて前記電磁弁の開閉制御を行うように構成され、前記操作信号により前記電磁弁を開状態に制御する場合、前記電磁弁の開状態を維持している間、前記マイコンの省電力機能の使用を禁止することを特徴とする水栓制御装置。
【手続補正２】
【補正対象書類名】明細書
【補正対象項目名】００１６
【補正方法】変更
【補正の内容】
【００１６】
【課題を解決するための手段】上記目的を達成するために請求項１は、水路を開閉する電磁弁の制御を行う水栓制御装置において、間欠的に物体の有無の検出を行い物体の検出状態を感知信号として出力するセンサ部と、前記感知信号に応じて前記電磁弁の開閉制御をマイコンによって制御する電磁弁制御部とからなり、前記センサ部は前記感知信号に周期的なパルスを重畳して出力するとともに、前記マイコンは、原発振に使用されるシステムクロックの発振を停止状態とする省電力機能と、前記省電力状態の前記発振の停止状態を解除する起動信号入力を備え、前記感知信号は物体の感知と非感知を異なるパルス長又はパルス数若しくはパルス周期の前記パルスを重畳して前記起動信号入力に入力され、前記省電力機能を制御することを特徴とする。その結果、センサ部が外部から電源を入り切りされることなく、自身で低消費動作を行うことにより、無駄なリセットによる消費がなくなり、必要な省電力機能の停止を行うことにより、効率の良い低消費動作が可能となる。
【手続補正３】
【補正対象書類名】明細書
【補正対象項目名】００１７
【補正方法】変更
【補正の内容】
【００１７】
第２の発明は、請求項１に記載の水栓制御装置において、前記感知信号の非感知時のパルス長は感知時のパルス長より短いことを特徴とする。このように、起動時間の長短によって感知、非感知の区別を行うようにしたので水栓制御装置の動作の大半を占める非感知時のマイコンの起動時間が短くなり低消費の面で優れている。また、仮にノイズが侵入して誤動作するとしても、パルス幅の短い非感知側の判断になる可能性が高く、水栓装置として安全側に動作する。
【手続補正４】
【補正対象書類名】明細書
【補正対象項目名】００１８
【補正方法】変更
【補正の内容】
【００１８】
第３の発明は、請求項１に記載の水栓制御装置において、前記感知信号の非感知時のパルス数は感知時のパルス数より少ないことを特徴とする。その結果、起動時以外の殆どの時間、感知信号を一方の電圧レベルに固定できるので、信号のラインを抵抗、コンデンサなどの部品でノイズ対策する場合に好都合である。
【手続補正５】
【補正対象書類名】明細書
【補正対象項目名】００１９
【補正方法】変更
【補正の内容】
【００１９】第４の発明は、請求項１に記載の水栓制御装置において、前記パルスの周期は感知時と非感知時で異なり、非感知時の周期は感知時の周期よりも長いことを特徴とする。その結果、その結果、水栓制御装置の非感知時の起動周期を感知時の起動周期より長くしたので、感知時の反応は早くて使い勝手に優れ、動作の大半を占める非感知時のマイコンの起動時間が短くなり、より低消費化が可能となる。
（【００５５】から引用）
【手続補正６】
【補正対象書類名】明細書
【補正対象項目名】００２０
【補正方法】変更
【補正の内容】
【００２０】
第５の発明は、請求項１乃至４のいずれか一項に記載の水栓制御装置において、前記電磁弁制御部は、前記感知信号のパルス長又はパルス数若しくはパルス周期に応じて前記電磁弁の通電時間を制御する。その結果、センサ部の発振回路の精度を有効に利用できる。
【手続補正７】
【補正対象書類名】明細書
【補正対象項目名】００２１
【補正方法】変更
【補正の内容】
【００２１】
第６の発明は、請求項１乃至５のいずれか一項に記載の水栓制御装置において、前記センサ部は電源電圧の検出手段を備え、前記電源電圧が所定値以下の場合は前記間欠的な物体の有無の検出を休止し、直前の検出時の感知状態を出力することを特徴とする。その結果、消耗の少ない電池であれば、電磁弁駆動のような大電流通電の後でも短時間で電圧は復帰するので、直前の感知の情報を保持して出力するので電磁弁の開閉動作に不都合は生じない。
【手続補正８】
【補正対象書類名】明細書
【補正対象項目名】００２２
【補正方法】変更
【補正の内容】
【００２２】
第７の発明は、請求項１乃至６のいずれか一項に記載の水栓制御装置において、使用者が手動により操作した状態を操作信号として出力する手動操作部を備え、前記操作信号は前記電磁弁制御部に入力され、前記電磁弁制御部は前記感知信号または前記操作信号に応じて前記電磁弁の開閉制御を行うように構成され、前記操作信号により前記電磁弁を開状態に制御する場合、前記電磁弁の開状態を維持している間、前記マイコンの省電力機能の使用を禁止することを特徴とする。その結果、センサ部が故障などで正常に動作していない場合、異常を検出し止水することができる。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】